(57)【要約】【課題】  理美容室における水使用量を大幅に削減することができると共に、使用後の水による河川等の水質汚染を極力防止することができる理美容室用水循環装置を提供する。【解決手段】  上水配管２と洗髪装置３とを供給配管４によって連結し、水を上水配管２から供給配管４を介して洗髪装置３に供給する。洗髪装置３において、シャワー装置等によって水を吐出させ、頭髪を水で洗浄する。洗髪装置３と供給配管４とを循環配管８によって連結し、使用後の水を洗髪装置３から循環配管８へ流入させる。循環配管８の途中に浄化装置９を配設し、この浄化装置９によって、使用後の水から有害な化学物質を除去すると共に、混在している毛髪を捕捉する。浄化された水を循環配管８を介して供給配管４に流入させ、使用後の水を再度使用できるようにする。【選択図】  図１
2010142763.tif 000002
【特許請求の範囲】
【請求項１】
上水配管と洗髪装置とを連結し、水を上水配管から洗髪装置に供給する供給配管と、シャワー装置を設置し、頭髪を水で洗浄する洗髪装置と、前記洗髪装置と前記供給配管とを連結し、使用後の水を前記洗髪装置から前記供給配管に送給する循環配管と、前記循環配管の途中に配設し、使用後の水を濾過することによって、有害な化学物質を除去すると共に、混在している毛髪を捕捉する浄化装置と、から構成したことを特徴とする理美容室用水循環装置。
【請求項２】
前記供給配管の途中に、水を加温する加熱装置を配設したことを特徴とする請求項１に記載の理美容室用水循環装置。
【請求項３】
前記加熱装置の直後に、加熱装置によって加温した水を大量に貯留しておく貯湯装置を配設したことを特徴とする請求項２に記載の理美容室用水循環装置。
【請求項４】
前記供給配管と前記循環配管との連結部に、水を貯留する貯水槽と、前記貯水槽内の水位が所定高さ以下になった時、前記上水配管から前記貯水槽内に水を供給する給水制御機構とから構成される給水制御装置を配設し、前記給水制御装置に前記上水配管、前記供給配管及び前記循環配管を連結したことを特徴とする請求項１乃至３の何れかに記載の理美容室用水循環装置。
【請求項５】
前記洗髪装置と前記フィルターとの間に、使用後の水を一時的に貯留させておく排水槽を配設したことを特徴とする請求項１乃至４の何れかに記載の理美容室用水循環装置。
【発明の詳細な説明】
【技術分野】
【０００１】
本発明は、理容室、美容室で使用された水を浄化処理し、再度使用できるように循環させて、理容室、美容室における水の効率的利用を図ることによって、理容室、美容室における水使用量を大幅に削減することができると共に、使用後の水による河川等の水質汚染を極力防止することができるようにした理美容室用水循環装置に関する。
【背景技術】
【０００２】
理容室及び美容室では、頭髪をカットし、頭髪にパーマをかけた後に、頭髪をシャンプー液、リンス液を用いて水で洗浄する。又、シェービングフォーム等を使用して顔を剃った後に、シェービングナイフ及びタオルを水で洗浄する。
このように、理容室及び美容室では、大量の水を使用するが、現在までのところ、上水道管から供給され、シャワー装置から吐出させた水によって頭髪等を洗浄した後、使用した水をそのまま排水配管に流入させ、下水道管へ流出させている。
【０００３】
そのため、理容室及び美容室では、水道水の使用量は大量であり、そのコストは高額なものとなって、経費を大幅に増大させる要因となっている。
又、使用後の水は、パーマ液、シャンプー液等の化学物質に汚染されていると共に、多量の頭髪が混在しているため、下水道管において異物が沈降したり、異臭が発生したりして、河川、湖沼、海洋等に流入すると、環境破壊の大きな原因になっている。
【０００４】
一方、理容室及び美容室において、洗髪や全身エステに使用する水を浄化すると共に、水質を改善することによって、頭皮や肌を効果的に活性化するようにした液体処理装置が提案されている（例えば、特許文献１参照）。
【０００５】
【特許文献１】特開２００３−７１４７２号公報
【０００６】
この液体処理装置は、水槽１内の水にミネラル液等を混合させると共に、配管３を流通させる過程で水に空気を混入させ、シャワー装置９から水を吐出させることによって、水の浄化及び液質改善を図るものである。
【発明の開示】
【発明が解決しようとする課題】
【０００７】
上記のように、特許文献１に記載された液体処理装置は、洗髪や全身エステに使用する水を使用前に浄化するものであって、使用後に浄化するものではないから、使用後の水による河川等の水質汚染を防止して、環境破壊を防止することはできなかった。
又、特許文献１に記載された液体処理装置は、洗髪や全身エステに使用した水をそのまま排水配管に流入させるものであって、使用後の水を再度使用するものではないから、水道水の使用量は大量であり、経費を削減させることはできなかった。
【０００８】
本発明は、このような従来の問題点に鑑みて為されたものであって、理・美容室で使用された水を浄化処理し、再度使用できるように循環させ、水の効率的利用を図ることによって、理・美容室における水使用量を大幅に削減することができると共に、使用後の水による河川等の水質汚染を極力防止することができる理・美容室用水循環装置を提供することを目的とする。
【課題を解決するための手段】
【０００９】
上記目的を達成するために、本発明の理美容室用水循環装置は、上水配管と洗髪装置とを連結し、水を上水配管から洗髪装置に供給する供給配管と、シャワー装置を設置し、頭髪を水で洗浄する洗髪装置と、前記洗髪装置と前記供給配管とを連結し、使用後の水を前記洗髪装置から前記供給配管に送給する循環配管と、前記循環配管の途中に配設し、使用後の水を濾過することによって、有害な化学物質を除去すると共に、混在している毛髪を捕捉する浄化装置と、から構成したことを特徴とする。
【００１０】
このような構成によれば、使用後の水を浄化し、再度使用できるようにしたから、水の効率的利用を図ることができ、理容室及び美容室における水使用量を大幅に削減することができる。
又、使用後の水から有害な化学物質を除去すると共に、水中に混在する毛髪を捕捉するようにしたから、使用後の水を浄化した後に排出させることができ、河川等の水質汚染を極力防止することができる。
【００１１】
又、前記供給配管の途中に、水を加温する加熱装置を配設すれば、水を適宜温度に加温することができ、洗髪を快適に行うことができる。
【００１２】
さらに、前記加熱装置の直後に、加熱装置によって加温した水を大量に貯留しておく貯湯装置を配設すれば、加熱装置によって加温した水を大量に貯留しておくことができるから、洗髪装置を多数設置した理容室及び美容室において、同時に洗髪等を行う場合においても、問題なく温水を使用することができる。
【００１３】
さらに、前記供給配管と前記循環配管との連結部に、水を貯留する貯水槽と、前記貯水槽内の水位が所定高さ以下になった時、前記上水配管から前記貯水槽内に水を供給する給水制御機構とから構成される給水制御装置を配設し、前記給水制御装置に前記上水配管、前記供給配管及び前記循環配管を連結すれば、蒸発、漏洩等によって水の流量が減少しても、供給配管及び循環配管を流通する水の流量を一定に保持することができる。
【００１４】
さらに、前記洗髪装置と前記浄化装置との間に、使用後の水を一時的に貯留させておく排水槽を配設すれば、洗髪装置が多数ある場合に、使用後の水が同時に大量に浄化装置へ流入して、浄化装置がその機能を十分に発揮できなくなる、という事態を防止することができる。
【発明を実施するための最良の形態】
【００１５】
以下、本発明の理美容室用水循環装置の好適な実施形態について、図面を参照して説明する。
【００１６】
本発明の理美容室用水循環装置１は、図１に示すように、上水配管２、洗髪装置３、供給配管４，加熱装置５、供給ポンプ６、排出配管７、循環配管８、浄化装置９、循環ポンプ１０から構成される。
【００１７】
上水配管２は、給水口を介して上水道管に連結してあり、上水配管２に連結した供給配管４を介して、洗髪装置３に水を供給するようになっている。
供給配管４の途中には供給ポンプ６を配設してあり、この供給ポンプ６によって、洗髪装置３に適量の水を供給できるようになっている。
【００１８】
洗髪装置３は、通常、シャワー装置を設置してあり、ここで、頭髪をシャンプー液、リンス液を用いて水で洗浄したり、顔を剃った後のシェービングナイフ及びタオルを水で洗浄したりする。
尚、図１においては、２基の洗髪装置３，３を配設してあるが、理容室又は美容室の規模によって、１基又は３基以上の洗髪装置３が配設される。
【００１９】
供給配管４の途中には、加熱装置５を配設してある。この加熱装置５は、洗髪を快適に行うために、水を加温するものである。
【００２０】
排出配管７は、使用後の水を洗髪装置３から排出するものであるが、本発明の理美容室用水循環装置１においては、洗髪装置３と排出配管７との間に仕切弁が配設されている。
そして、水を循環して使用する場合には、仕切弁を閉鎖することによって、排出配管７から水が排出されないようにする。
【００２１】
循環配管８は、洗髪装置３と供給配管４の一端部とを連結してあり、使用後の水を洗髪装置３から供給配管４まで送給し、水を再使用できるようになっている。
循環配管８の途中には循環ポンプ１０を配設してあり、この循環ポンプ１０によって、確実に水を供給配管４の一端部まで送給できるようになっている。
【００２２】
循環配管８の途中には、浄化装置９を配設してある。この浄化装置９は、使用後の水を濾過することによって、パーマ液、シャンプー液等の成分である化学物質を除去すると共に、混在している多量の頭髪を捕捉して、使用後の水を浄化させるものである。
【００２３】
浄化装置９は、使用後の水に混在している毛髪を捕捉する毛髪除去装置と、使用後の水を濾過して化学物質等を除去する水質浄化装置と、から構成するようにしてもよい。
ここで、毛髪除去装置の後に水質浄化装置を配置するようにすれば、毛髪によって水質浄化装置の性能を低下させないようにすることができ、好適である。
【００２４】
毛髪除去装置としては、例えば、容器内に金属フィルターを装着したものを使用することができる。
金属フィルターは、円筒状又は円板状の金属に多数の細孔を形成したもの、金網を複数積層して焼結したものが知られている。
【００２５】
水質浄化装置としては、例えば、容器内に中空糸膜フィルター、セラミックフィルターを装着したものを使用することができる。
中空糸膜フィルターは、中空状の糸の外壁に多数の細孔を形成したもの、セラミックフィルターは、円筒状又は円板状の金属に多数の細孔を形成したものである。
容器内に金属フィルターを装着したものを使用することができる。
【００２６】
本発明の理美容室用水循環装置１は、以上のような構成であって、以下のような作用、効果を奏する。
【００２７】
先ず、上水道管から給水口を介して上水配管２に供給されてきた水は、供給配管４へと流入していく。そして、加熱装置５において加温された後、洗髪装置３，３へと供給されていく。
【００２８】
水を循環して使用する場合、洗髪装置３と排出配管７との間に配設された仕切弁を閉鎖して、排出配管７から水が排出されないようにする。
これにより、洗髪装置３において、シャワー装置等から吐出され、洗髪等に使用された水は、洗髪装置３から循環配管８へと流入していく。
【００２９】
次に、循環配管８を流通してきた使用後の水は、浄化装置９へと流入していく。浄化装置９において、使用後の水から有害な化学物質が除去されると共に、混在する毛髪が捕捉され、浄化装置９からは、浄化された水が流出する。
【００３０】
ここで、浄化装置９を毛髪除去装置と水質浄化装置とから構成した場合には、先ず、毛髪除去装置において、使用後の水に混在している毛髪は、捕捉、除去される。
この時、毛髪除去装置として金属フィルターを使用すれば、その表面に毛髪が付着し、捕捉されるが、使用後の水は細孔を通過していく。
【００３１】
所定時間経過し、金属フィルターの表面に多量の毛髪が付着すると、使用後の水が細孔を通過していかなくなるが、その場合には、容器から金属フィルターを取り外し、洗浄すればよい。
金属フィルターは、金属製であるから、形状が損なわれることはなく、洗浄後に容器に装着すれば、再度使用することができる。
【００３２】
次に、水質浄化装置において、毛髪除去装置を通過してきた水は、濾過され、有害な化学物質が除去される。
この時、水質浄化装置として中空糸膜フィルターを使用すれば、その外壁に化学物質等が付着し、細孔を通過した水は浄化される。
【００３３】
所定時間経過し、中空糸膜フィルターの細孔に化学物質等が付着し、目詰まりすると、浄化機能が低下するので、その場合には、容器から中空糸膜フィルターを取り外し、新規のものと交換すればよい。
【００３４】
浄化された水は、さらに循環配管８を流通して供給配管４の一端部に流入し、以後、供給配管４を流通していき、加熱装置５を通過して洗髪装置３，３へと供給されていく。
これにより、洗髪等に使用され、浄化された水は、洗髪装置３，３へと供給され、再度使用されることになる。
【００３５】
しかし、水を長期間に渡って循環して使用すると、水中の微生物、配管内面の錆等によって、汚濁したり、腐敗したりしてくるのは避けられない。
そのため、所定期間毎に、洗髪装置３と排出配管７との間に配設された仕切弁を開放して、汚濁、腐敗した水を排出配管７から排出する必要がある。
【００３６】
以上のように、本発明の理美容室用水循環装置１は、洗髪装置３と供給配管４とを連結する循環配管８を配設し、循環配管８の途中に浄化装置９を配設することによって、使用後の水を浄化し、再度使用できるようにしたから、水の効率的利用を図ることができ、理容室及び美容室における水使用量を大幅に削減することができる。
【００３７】
又、循環配管８の途中に浄化装置９を配設することによって、使用後の水から有害な化学物質を除去すると共に、水中に混在する毛髪を捕捉することができるから、使用後の水を浄化した後に排水配管７に排出させることができ、使用後の水による河川等の水質汚染を極力防止することができる。
【００３８】
さらに、加熱装置５により水を加熱することによって、水を殺菌することができるという効果も奏する。
【００３９】
理美容室用水循環装置１の構成に加え、図２に示すように、供給配管４と循環配管８との連結部に給水制御装置１２を配設した理美容室用水循環装置１１を構成してもよい。
尚、理美容室用水循環装置１と同一の構成要素については、同一の符号をもって表示することとする。
【００４０】
給水制御装置１２は、貯水槽１３、給水制御機構１４から構成され、貯水槽１３には、
上水配管２、供給配管４、循環配管８を連結してある。
そして、貯水槽１３内の水位が所定高さ以下になると、球状の浮体１４ａが下降し、給水制御機構１４が作動して、上水配管２から貯水槽１３内に新鮮な水が供給されるようになっている。
【００４１】
理美容室用水循環装置１１は、以上のような構成であって、以下のような作用、効果を奏する。
【００４２】
先ず、上水道管から給水口を介して上水配管２に供給されてきた水は、給水制御装置１２の貯水槽１３に流入する。そして、貯水槽１３内の水位が所定高さになると、浮体１４ａが上昇し、給水制御機構１４が作動して、上水配管２から貯水槽１３への水の供給を停止する。
【００４３】
次に、貯水槽１３から供給配管４へと流出する水は、供給配管４を流通する途中で加熱装置５において加温された後、洗髪装置３，３へと供給されていく。
【００４４】
以下、上述のように、洗髪装置３において、シャワー装置等から吐出され、洗髪等に使用された水は、洗髪装置３から循環配管８へと流入していく。
そして、循環配管８を流通してきた使用後の水は、浄化装置９において浄化され、さらに循環配管８を流通して、貯水槽１３に流入する。
【００４５】
貯水槽１３から供給配管４へと流出する水の流量が、循環配管８から貯水槽１３に流入する水の流量より多くなった場合には、貯水槽１３内の水位が低下するから、浮体１４ａが下降し、給水制御機構１４が作動して、上水配管２から貯水槽１３へ新鮮な水が供給される。
【００４６】
以上のように、理美容室用水循環装置１１は、貯水槽１３に上水配管２、供給配管４、循環配管８を連結して成る給水制御装置１２を配設することによって、供給配管４及び循環配管８を流通する水の流量を一定に保持するようにしたから、蒸発、漏洩等によって流通する水の流量が減少することはない。
【００４７】
又、理美容室用水循環装置１１の構成に加え、図３に示すように、加熱装置５の直後に貯湯装置２２を配設した理美容室用水循環装置２１を構成してもよい。
尚、理美容室用水循環装置１，１１と同一の構成要素については、同一の符号をもって表示することとする。
【００４８】
貯湯装置２２は、洗髪装置３が多数あり、同時に大量の温水を必要とする場合に、予め加熱装置５によって加温した水を大量に貯留しておくものである。
【００４９】
理美容室用水循環装置２１は、以上のような構成であって、以下のような作用、効果を奏する。
【００５０】
上述のように、給水制御装置１２の貯水槽１３から供給配管４へと流出する水は、供給配管４を流通する途中で加熱装置５において加温される。
そして、加温された水は、貯湯装置２２内に大量に貯留され、所定温度以下にならないように保温される。
【００５１】
その後、貯湯装置２２内に大量に貯留された水は、供給配管４を流通して洗髪装置３，３へと供給されていき、洗髪装置３において、シャワー装置等から吐出され、洗髪等に使用される。
【００５２】
以上のように、理美容室用水循環装置２１は、加熱装置５の直後に貯湯装置２２を配設することによって、予め加温した水を大量に貯留しておくことができるから、洗髪装置３を多数設置した理容室及び美容室において、同時に洗髪等を行う場合においても、問題なく温水を使用することができる。
【００５３】
さらに、理美容室用水循環装置２１の構成に加え、図４に示すように、洗髪装置３と浄化装置９との間に排水槽３２を配設した理美容室用水循環装置３１を構成してもよい。
尚、理美容室用水循環装置１，１１，２１と同一の構成要素については、同一の符号をもって表示することとする。
【００５４】
排水槽３２は、洗髪装置３が多数ある場合に、使用後の水が同時に大量に浄化装置９へ流入しないように、一時的に貯留させておくものである。
又、排水槽３２に排出配管３３を連結して、使用後の水を排水槽３２から排出するようにしてある。
【００５５】
理美容室用水循環装置３１は、以上のような構成であって、以下のような作用、効果を奏する。
【００５６】
上述のように、貯湯装置２２内に大量に貯留された温水は、供給配管４を流通して洗髪装置３，３へと供給されていき、洗髪装置３，３において、シャワー装置等から吐出され、洗髪等に使用される。
【００５７】
その後、使用後の水は、洗髪装置３，３から循環配管８，８へと流入し、一旦、排水槽３２内に貯留される。
そして、排水槽３２内に貯留された水は、所定流量で循環配管８を流通し、浄化装置９へと導入される。
【００５８】
又、所定期間毎に、排水槽３２と排出配管３３との間に配設された仕切弁を開放して、汚濁、腐敗した水を排出配管３３から排出する。
【００５９】
以上のように、理美容室用水循環装置３１は、洗髪装置３と浄化装置９との間に排水槽３２を配設することによって、使用後の水を、一旦、排水槽３２内に貯留させておくことができるから、洗髪装置３が多数ある場合に、使用後の水が同時に大量に浄化装置９へ流入して、浄化装置９がその機能を十分に発揮できなくなる、という事態を防止することができる。
【００６０】
又、洗髪装置３と浄化装置９との間に排水槽３２を配設し、排水槽３２に排出配管３３を連結することによって、使用後の水を排水槽３２から排出するようにしたから、洗髪装置３から使用後の水が大量に排出されて、下水道管から漏水することはない。
【００６１】
さらに、洗髪装置３と浄化装置９との間に排水槽３２を配設するようにしたから、排水槽３２において、使用後の水に混在する毛髪が一部沈殿したり、有害な化学物質等が一部沈殿したりするので、浄化装置９は、その機能を十分に発揮することができる。
【００６２】
以上のように、本発明の理美容室用水循環装置は、理容室、美容室において使用された水を浄化処理し、再度使用できるようにしたから、水の効率的利用を図ることができ、理容室及び美容室における水使用量を大幅に削減することができる。
又、使用後の水から有害な化学物質を除去すると共に、水中に混在する毛髪を捕捉するようにしたから、使用後の水を浄化した後に排出させることができ、河川等の水質汚染を極力防止することができる。
【００６３】
さらに、近年、地球の温暖化傾向が顕著となり、冬においては降雪量が減少し、夏においては水不足が発生する等、各地で深刻な問題となっているが、理容室、美容室では、相変わらず水を多量に使用し、そのまま使い捨てにしており、今後、深刻な問題になると思われる。
このような状況で、本発明の理美容室用水循環装置は、洗髪後に排水として捨てていた水を、浄化処理し、循環使用するものであるから、水を有効活用することができ、水不足にも対応できて、地球環境にも優しいシステムである。
【図面の簡単な説明】
【００６４】
【図１】本発明の理美容室用水循環装置の一実施形態の構成図である。
【図２】本発明の理美容室用水循環装置の他実施形態の構成図である。
【図３】本発明の理美容室用水循環装置の他実施形態の構成図である。
【図４】本発明の理美容室用水循環装置の他実施形態の構成図である。
【符号の説明】
【００６５】
１  理美容室用水循環装置
２  上水配管
３  洗髪装置
４  供給配管
５  加熱装置
８  循環配管
９  浄化装置
１１  理美容室用水循環装置
１２  給水制御装置
１３  貯水槽
１４  給水制御機構
２１  理美容室用水循環装置
２２  貯湯装置
３１  理美容室用水循環装置
３２  排水槽
【図１】
2010142763.tif 000003
【図２】
2010142763.tif 000004
【図３】
2010142763.tif 000005
【図４】
2010142763.tif 000006